(57)【要約】【課題】傘布で一旦受け止めた雨水を適切な位置から排水できると共に、適切に折り畳むことが可能で、且つ簡易な構成で簡単に製造できる雨傘を提供する。【解決手段】傘布１０の雨を受ける面側であってその傘布１０の周縁部１１に、その周縁に沿って凸状筋部２０が設けられている。凸状筋部２０は、雨傘を折り畳む際に折り曲げ可能に柔軟性のある材料で且つ一定高さ以下に膨らんだ形態に形成されている。傘布１０は樹脂製シートによって設けられ、凸状筋部２０が熱圧着によって固着形成されている。グリップ部３３が使用者によって握り易い一定の方向性を有するように形成され、雨傘の使用者にとって左右に位置することになる傘布１０の周縁部１１の対称位置２箇所に、凸状筋部２０が設けられている。【選択図】図１
0003125678.tif 000002
【実用新案登録請求の範囲】
【請求項１】
傘布の雨を受ける面側であって該傘布の周縁部に、該周縁に沿って凸状筋部が設けられたことを特徴とする雨傘。
【請求項２】
前記凸状筋部が、紐状の部材を前記傘布の周縁部に固定することで設けられたことを特徴とする請求項１記載の雨傘。
【請求項３】
前記凸状筋部が、傘布の縁部を折り返すことで設けられたことを特徴とする請求項１記載の雨傘。
【請求項４】
前記凸状筋部が、傘布の縁部を複数層に折ることで設けられたことを特徴とする請求項３記載の雨傘。
【請求項５】
前記凸状筋部が、傘布の縁部を折り重ねることで形成された袋状部に紐状の部材が通された形態に設けられたことを特徴とする請求項１、２、３又は４記載の雨傘。
【請求項６】
前記凸状筋部が、傘布の周縁部の一部に設けられたことを特徴とする請求項１、２、３、４又は５記載の雨傘。
【請求項７】
前記凸状筋部が、傘布の周縁部の対称位置２箇所に設けられたことを特徴とする請求項６記載の雨傘。
【請求項８】
前記雨傘が８本の傘骨を有するもので、前記凸状筋部が、傘布の全周縁部の１／４ずつ２箇所に設けられたことを特徴とする請求項７記載の雨傘。
【請求項９】
前記雨傘の中棒の端部に設けられたグリップ部が使用者によって握り易い一定の方向性を有するように形成され、該雨傘の使用者にとって左右に位置することになる傘布の周縁部の対称位置２箇所に、前記凸状筋部が設けられたことを特徴とする請求項７又は８記載の雨傘。
【請求項１０】
前記凸状筋部が、雨傘を折り畳む際に折り曲げ可能に柔軟性のある材料で且つ一定高さ以下に膨らんだ形態に形成されていることを特徴とする請求項１、２、３、４、５、６、７、８又は９記載の雨傘。
【請求項１１】
前記傘布が樹脂製シートによって設けられ、前記凸状筋部が熱圧着によって固着形成されていることを特徴とする請求項１、２、３、４、５、６、７、８、９又は１０記載の雨傘。
【請求項１２】
前記傘布が、平面略楕円形等の異形に形成されていることを特徴とする請求項１、２、３、４、５、６、７、８、９、１０又は１１記載の雨傘。
【考案の詳細な説明】
【技術分野】
【０００１】
この考案は、傘布によって一旦受け止めた雨水を、特定の位置から効果的に排水することができる雨傘に関する。
【背景技術】
【０００２】
雨傘からの雨水の落下によって、衣服や持ち物を濡らすことがある。これは、傘布で一旦受け止めた雨水が、適切な位置から落下しないことに起因する場合がある。
詳細には、雨傘の中心は、雨傘をさした際における使用者の頭と雨傘の中棒との位置関係から、左右どちらかに偏り易い。加えて、人間の体は、一般的に前後の厚さより左右の幅の方が長い。従って、傘布で一旦受け止めた雨水でも、左右の傘布から落下する場合は、体の左右の部分のいずれか或いは手提げカバンのような荷物へ降りかかり易い。これは、傘布が平面的には覆っていても、傘布から落下する雨水が、風によって流されることなどにもよる。
【０００３】
これに対して、雨傘の張り布（傘布）周縁に雨水受け溝を全長に亘り環状に設け、前記受け溝の一側には雨水の排水口を設けると共に、該排水口の下方に排出管を連設し、該排出管内にその軸に沿って雨水誘導用のピンを設けた、雨水受け溝付き傘が開示されている（特許文献１参照）。
この雨傘によれば、雨水を溝で受けて特定の位置から排水することができる。しかしながら、雨水受け溝が断面Ｕ字状に形成されるため、その雨水受け溝と共に雨傘を折り畳むことが難しい。
さらに他の雨傘によれば、洋傘周縁部に略Ｖ字状の樋部を形成し、折り畳むことが可能なものが開示されている（特許文献２参照）。しかしながら、樋用先骨を備えるなど、複雑な構成になっている。
【特許文献１】実公平０６−４９２１３号公報（第１頁、第１図）
【特許文献２】特開２００１−１４９１２２号公報（第１図）
【考案の開示】
【考案が解決しようとする課題】
【０００４】
雨傘に関して解決しようとする問題点は、傘布で一旦受け止めた雨水を適切な位置から排水できるようにすると、従来の形態による場合、雨傘を簡単に折り畳むことが難しくなることや、構成が複雑化する点にある。
そこで本考案の目的は、傘布で一旦受け止めた雨水を適切な位置から排水できると共に、適切に折り畳むことが可能で、且つ簡易な構成で簡単に製造できる雨傘を提供することにある。
【課題を解決するための手段】
【０００５】
本考案は、上記目的を達成するために次の構成を備える。
本考案にかかる雨傘の一形態によれば、傘布の雨を受ける面側であって該傘布の周縁部に、該周縁に沿って凸状筋部が設けられたことを特徴とする。
【０００６】
また、本考案にかかる雨傘の一形態によれば、前記凸状筋部が、紐状の部材を前記傘布の周縁部に固定することで設けられたことを特徴とすることができる。
また、本考案にかかる雨傘の一形態によれば、前記凸状筋部が、傘布の縁部を折り返すことで設けられたことを特徴とすることができる。
また、本考案にかかる雨傘の一形態によれば、前記凸状筋部が、傘布の縁部を複数層に折ることで設けられたことを特徴とすることができる。
また、本考案にかかる雨傘の一形態によれば、前記凸状筋部が、傘布の縁部を折り重ねることで形成された袋状部に紐状の部材が通された形態に設けられたことを特徴とすることができる。
【０００７】
また、本考案にかかる雨傘の一形態によれば、前記凸状筋部が、傘布の周縁部の一部に設けられたことを特徴とすることができる。
また、本考案にかかる雨傘の一形態によれば、前記凸状筋部が、傘布の周縁部の対称位置２箇所に設けられたことを特徴とすることができる。
また、本考案にかかる雨傘の一形態によれば、前記雨傘が８本の傘骨を有するもので、前記凸状筋部が、傘布の全周縁部の１／４ずつ２箇所に設けられたことを特徴とすることができる。
【０００８】
また、本考案にかかる雨傘の一形態によれば、前記雨傘の中棒の端部に設けられたグリップ部が使用者によって握り易い一定の方向性を有するように形成され、該雨傘の使用者にとって左右に位置することになる傘布の周縁部の対称位置２箇所に、前記凸状筋部が設けられたことを特徴とすることができる。
【０００９】
また、本考案にかかる雨傘の一形態によれば、前記凸状筋部が、雨傘を折り畳む際に折り曲げ可能に柔軟性のある材料で且つ一定高さ以下に膨らんだ形態に形成されていることを特徴とすることができる。
【００１０】
また、本考案にかかる雨傘の一形態によれば、前記傘布が樹脂製シートによって設けられ、前記凸状筋部が熱圧着によって固着形成されていることを特徴とすることができる。
【００１１】
また、本考案にかかる雨傘の一形態によれば、前記傘布が、平面略楕円形等の異形に形成されていることを特徴とすることができる。
【考案の効果】
【００１２】
本考案の雨傘によれば、傘布で一旦受け止めた雨水を適切な位置から排水できると共に、適切に折り畳むことが可能で、且つ簡易な構成で簡単に製造できるという特別顕著な効果を奏する。
【考案を実施するための最良の形態】
【００１３】
以下、本考案に係る雨傘の最良の形態例を添付図面に基づいて詳細に説明する。
図１は本考案に係る雨傘の一例を示す断面図である。図２は図１の雨傘を示す斜視図であり、図３はその平面図である。
この雨傘によれば、傘布１０の雨を受ける面側であってその傘布１０の周縁部１１に、その周縁に沿って凸状筋部２０が設けられている。そして、その凸状筋部２０が、紐状の部材２２を傘布１０の周縁部１１に連続的に固定することで設けられている（図４参照）。
【００１４】
図４に示すように、紐状の部材２２を傘布１０に固定させるには、接着、溶着、熱圧着、縫付など、種々の固着手段を用いることが可能である。
また、紐状の部材２２としては、例えば、傘布１０と同一の材質からなる繊維を用いることができる。また、土木建築作業で使用される樹脂製の糸（水糸）を用いることもできる。なお、この水糸の直径は、例えば、０．７５ｍｍ程度である。これを図１〜図４に示すように傘布１０の周縁部１１に固定した。これによれば、雨水の流れをせき止め、特定の位置から落下するように、雨水を導くことができた。つまり、凸状筋部２０の膨らみ高さは、それほど高いものでなくとも、雨水をせき止めて所定の方向へ導く効果がある。特に、傘骨３０の上になる部分でも、雨水は、水糸から成る凸状筋部２０に案内されて乗り越えて流れ、所定の位置から排水された。
【００１５】
そして、上記の繊維や水糸などの紐状の部材２２は、柔軟性があって容易に折り曲げることができる。従って、雨傘を折り畳む際に何の支障もない。
また、凸状筋部２０は、傘布１０の上面（表面）である雨を受ける面の上に、断面略円形に膨らんだ形状に設けられている（図４参照）。このように断面が膨出された曲面形状になっているため、傘布１０の上面（雨を受ける面）と凸状筋部２０の曲面２１との間で、実質的に略Ｖ字状の溝２５が形成されている。
【００１６】
凸状筋部２０の曲面は、水の表面張力が発生し易い形状であり、雨水が落下しないようにせき止めることができる好適な形状になっている。なお、図４の図面上、せき止められた雨水５０のイメージを点線で示してある。
また、傘布１０の素材や凸状筋部２０となる部材について、撥水性のある素材（表面加工を含む）を使用することで、雨水のせき止め効果を高めることができる。また、雨水の凸状筋部２０に沿って伝え導かれる流れをスムースにすることができる。
【００１７】
また、凸状筋部２０が、傘布１０の周縁部１１の全周でなく、一部に設けられていてもよい。本形態例では、図２及び図３に示すように、凸状筋部２０が、傘布１０の周縁部１１の対称位置２箇所に設けられている。さらに詳細には、雨傘が８本の傘骨を有するもので、凸状筋部２０が、傘布１０の全周縁部１１の１／４ずつ２箇所に設けられている。
このように、凸状筋部２０が２箇所に設けられていることで、一般的には図２に示すように、雨水が、凸状筋部２０を伝って流れ、斜め後方の２箇所の傘骨３０の露先３０ａから落下（滴下）する。これは、雨傘をさす際に通常は、図２にように後ろに傾斜させるためである。
【００１８】
なお、雨傘をさす際の傾きは限定されないが、いずれの場合でも、左右の凸状筋部２０によって、その凸状筋部２０に対応する区間においては、傘布１０及び露先３０ａから雨水が落ちない。これにより、雨水が衣服や持ち物を濡らすことを可及的に防止することができる。
詳細には、図３に点線で示すように雨傘の中心は、雨傘をさした際における使用者の頭４０と雨傘の中棒３２（図１参照）との位置関係から、左右どちらかに偏り易い。このため、傘布１０で一旦受け止めた雨水でも、左右の傘布１０から落下する場合は、衣服や荷物へ降りかかり易い。しかし、本発明のように傘布１０の左右の部分から雨水が落下しなければ、雨水が衣服や荷物を濡らすことを可及的に回避することができる。
【００１９】
また、以上に説明したように、２箇所の凸状筋部２０を使用者の左右に位置させるには、雨傘の中棒３２の端部に設けられたグリップ部３３に方向性を持たせるとよい。
つまり、グリップ部３３が使用者によって握り易い一定の方向性を有するように形成され、その雨傘の使用者にとって左右に位置することになる傘布１０の周縁部１１の対称位置２箇所に、凸状筋部２０が設けられるとよい。
例えば、図１〜３に示すようにグリップ部３３がフック部３３ａを有する把持部である場合、通常の雨傘のさし方としては、そのフック部３３ａが前方を向くように把持される。従って、図３に示すように、そのフック部３３ａの方向を基準として、左右に２箇所の凸状筋部２０の位置を決定すればよい。
なお、各凸状筋部２０を着色するなど、色分けやマークによって、雨傘の方向性を使用者に認識させてもよい。
【００２０】
ところで、凸状筋部２０が、傘布１０の周縁部１１の全周に設けられてもよい。その場合は、凸状筋部２０の最も低い部分から雨水が溢れて排水されることになる。従って、雨傘の通常のさし方によって、後ろ側が低くなるように傾いている際は、後端部から雨水が零れ落ちることになる。
【００２１】
次に、凸状筋部の他の形態例について、図５〜７に基づいて説明する。
先ず、図５に示す凸状筋部２０Ａは、樹脂製シートの傘布１０の縁部を単純に１回折り返し、その折り返し状態が保持されるように、熱圧着によって溶着・固定されることで設けられている。熱圧着によって形成できるので、簡単に製造できる。
なお、１回の折り返しであるため、雨水をせき止める凸状筋部の高さを十分に確保することが難しい面がある。これに対しては、折り返した側の傘布１０の縁部が図５に示すようなカール状等に反るように、加熱等による加工を施してもよい。そのように縁部をそらせても、その高さは１ｍｍ程度でもよく、雨傘の折り畳みには支障が生じない。
【００２２】
また、図６に示す凸状筋部２０Ｂは、傘布１０の縁部を複数層に折ることで設けられている。本形態例では、樹脂製シートの傘布１０の縁部を２回折り曲げ、熱圧着によって固定されることで設けられている。なお、熱圧着の工程は、２回折り曲げた後に１回で行ってもよいし、折り曲げるごとに２回に分けて行ってもよい。
このように折り重ねた状態とすることで、雨水をせき止めるための膨らみ高さを適切に確保することができる。また、凸状筋部２０Ｂの雨水と接する側の上側部分が曲面２１となり易く、雨水をせき止めるための好適な形状となっている。
なお、さらに多くの層に折り重ねることで、雨水をせき止める凸状筋部の高さを確保してもよいのは勿論である。
【００２３】
また、図７に示す凸状筋部２０Ｃは、傘布１０の縁部を折り重ねることで形成された袋状部２３に紐状の部材２２が通された形態に設けられている。本形態例では、２回折り曲げることで形成される上側の袋状部２３に紐状の部材２２が通されている。そして、前述と同様に、樹脂製シートの傘布１０の縁部を２回折り曲げ、熱圧着によって固定されることで設けられた形態となっている。
これによれば、雨水をせき止める凸状筋部の高さを確実に確保することができる。従って、雨水を凸状筋部２０Ｃに沿って確実に伝え流して排水できる。
なお、袋状部２３に一種の芯材として紐状の部材２２を通す形態は、この形態に限定されるものではない。例えば、図５に示すような１回折り返すことによって形成される袋状部２３に紐状の部材２２を通すことでも、断面が一定に膨らんだ状態の凸状筋部を形成することができる。
【００２４】
以上に説明した凸状筋部２０は、それぞれ、雨傘を折り畳む際に折り曲げ可能に柔軟性のある材料で且つ一定高さ以下に膨らんだ形態に形成されているとよい。これによれば、雨傘を適切に折り畳むことができる。
なお、凸状筋部２０の膨らみ高さは、前述したように水糸の太さ（０．７５ｍｍ）程度でも、十分な効果がある。その高さは、折り畳み易さや、対応させる雨の強さの程度との関係において適宜に設定すればよい。
また、以上に説明したように傘布１０が、樹脂製シートによって設けられた場合、凸状筋部２０を熱圧着によって固着形成させることが可能である。これによれば、簡易な構成で簡単且つ安価に製造できる。
【００２５】
また、傘布１０の形状は、以上に説明したような平面円形に限定されないのは勿論である。つまり、以上に説明した本発明の構成は、図８に示すような傘布１０が、平面略楕円形等の異形に形成されている場合にも応用できる。
なお、図８に示す形態では、傘布１０の後端部の一部を除いた周縁部１１の略全周に亘って、凸状筋部２０が形成されている。これによれば、傘布１０で受けた雨水をまとめて雨傘の後端部から排水することができる。
【００２６】
以上、本考案につき好適な形態例を挙げて種々説明してきたが、本考案はこの形態例に限定されるものではなく、考案の精神を逸脱しない範囲内で多くの改変を施し得るのは勿論のことである。
【図面の簡単な説明】
【００２７】
【図１】本考案に係る雨傘の形態例を示す断面図である。
【図２】図１の雨傘を示す斜視図である。
【図３】図１の雨傘を示す平面図である。
【図４】凸状筋部の形態例を示す拡大断面図である。
【図５】凸状筋部の他の形態例を示す拡大断面図である。
【図６】凸状筋部の他の形態例を示す拡大断面図である。
【図７】凸状筋部の他の形態例を示す拡大断面図である。
【図８】本考案に係る雨傘の他の形態例を示す斜視図である。
【符号の説明】
【００２８】
１０  傘布
１１  周縁部
２０  凸状筋部
２２  紐状の部材
２３  袋状部
３０  傘骨
３３  グリップ部
【図１】
0003125678.tif 000003
【図２】
0003125678.tif 000004
【図３】
0003125678.tif 000005
【図４】
0003125678.tif 000006
【図５】
0003125678.tif 000007
【図６】
0003125678.tif 000008
【図７】
0003125678.tif 000009
【図８】
0003125678.tif 000010